(57)【要約】【課題】下枠のたわみを抑制することができるサッシ枠の取付構造を提供する。【解決手段】建物において第二居室１６からバルコニーへ出入りするための出入口１８にはその周縁部に沿ってサッシ枠１９が配設されており、そのサッシ枠１９の内側には出入口１８を開閉するサッシ戸２１が取り付けられている。サッシ枠１９は、出入口１８の下縁部に沿って設けられた下枠２３を有しており、その下枠２３はその下方に設けられた下端フレーム部３７に取り付けられている。下端フレーム部３７の上面には、上方に突出する補強フレーム材６１が設けられている。下枠２３には、下向きに開放された凹部８５が形成されている。下枠２３は、その凹部８５に補強フレーム材６１を入り込ませた状態で下端フレーム部３７及び補強フレーム材６１上に載置され、その載置状態にてそれら各部材３７，６１にそれぞれ取り付けられている。【選択図】      図３
2014196621.tif 000002
【特許請求の範囲】
【請求項１】
屋内空間と、該屋内空間に隣接して設けられた半屋外空間とを備え、前記屋内空間と前記半屋外空間とを仕切る仕切壁部にはそれら両空間の間を行き来するための出入口が形成されており、その出入口には当該出入口を開閉するサッシ戸が設けられた建物に適用され、
前記出入口の周縁部には、前記サッシ戸が取り付けられるサッシ枠が配設されており、
前記サッシ枠は、前記出入口の下縁部に沿って設けられた下枠を有しており、
前記下枠の下方には、当該下枠に沿って横架材が設けられており、
前記横架材には、その長手方向に延びるように形成され、かつ、上方に突出する凸部が設けられており、
前記下枠には、前記凸部を収容する収容凹部が設けられており、
前記下枠は、前記収容凹部に前記凸部を収容した状態で前記横架材上に載置され当該横架材に取り付けられていることを特徴とするサッシ枠の取付構造。
【請求項２】
前記凸部は、前記横架材において前記仕切壁部の厚み方向における前記屋内空間側に配置されており、
前記下枠は、前記横架材上において前記凸部を前記半屋外空間側及び上側のそれぞれの側から覆うようにして設けられていることを特徴とする請求項１に記載のサッシ枠の取付構造。
【請求項３】
前記下枠において前記凸部に対して前記半屋外空間側に設けられた部分が前記凸部に対して当接させて配置されていることを特徴とする請求項２に記載のサッシ枠の取付構造。
【請求項４】
前記下枠は、互いに別体として形成され当該下枠の長手方向に延びる長尺状の第１下枠部及び第２下枠部を有しており、それら各下枠部が互いに結合されることにより構成されており、
前記第２下枠部は、前記横架材上において前記仕切壁部の厚み方向に前記凸部と並んで設けられており、
前記第１下枠部は、前記サッシ戸の開閉を案内する案内レール部を有しており、前記第２下枠部上と前記凸部上とに跨がって設けられていることを特徴とする請求項１乃至３のいずれか一項に記載のサッシ枠の取付構造。
【請求項５】
前記凸部は、前記横架材において前記仕切壁部の厚み方向における前記屋内空間側に配置されており、
前記第１下枠部は、前記凸部と前記第２下枠部との間を通じて下方に延び当該凸部の前記半屋外空間側に当接する当接部を有することを特徴とする請求項４に記載のサッシ枠の取付構造。
【請求項６】
前記当接部は、板状をなしており、その板面を前記凸部の前記半屋外空間側の側面と対向させて配置されており、
前記第２下枠部は、前記当接部と重なり合うように設けられる板状の重なり部を有しており、
前記当接部と前記重なり部とは締結具による締結によって互いに結合され、その結合状態において前記凸部の前記側面側に当接していることを特徴とする請求項５に記載のサッシ枠の取付構造。
【請求項７】
前記凸部は、前記横架材において前記仕切壁部の厚み方向における前記屋内空間側に配置されており、
前記下枠は、前記凸部上に載置された載置部を有しており、その載置部の一部が前記凸部よりも前記屋内空間側にはみ出してはみ出し部となっており、
前記凸部の前記屋内空間側には、前記はみ出し部が取り付けられる下枠取付部が設けられていることを特徴とする請求項１乃至６のいずれか一項に記載のサッシ枠の取付構造。
【発明の詳細な説明】
【技術分野】
【０００１】
本発明は、サッシ枠の取付構造に関する。
【背景技術】
【０００２】
住宅等の建物では、居室等の屋内空間と隣接してバルコニーが設けられている場合がある。バルコニーと屋内空間とを仕切る仕切壁には、屋内空間からバルコニーへ出入りするための出入口が形成されている。出入口の周縁部にはサッシ枠が配設されており、サッシ枠の内側には出入口を開閉するサッシ戸が取り付けられている（例えば特許文献１参照）。
【０００３】
サッシ枠は、上下一対の上枠及び下枠と、左右一対の縦枠とを有して構成されている。サッシ枠の外周側には、上枠、下枠及び各縦枠のそれぞれに沿って長尺状の下地材が設けられており、それら各下地材に対して上枠、下枠及び各縦枠がそれぞれ取り付けられている。このうち、下枠については、その下方に配置された下地材上に下枠が載置された状態で当該下地材に取り付けられている。これにより、下枠ひいてはサッシ枠が当該下地材によって下方から支持された状態となっている。
【先行技術文献】
【特許文献】
【０００４】
【特許文献１】特開２０１２−３１６２８号公報
【発明の概要】
【発明が解決しようとする課題】
【０００５】
ところで、上述した構成では、出入口を通じて屋内空間からバルコニーへの出入りをする際に、誤って下枠を踏んでしまうことが考えられる。この際、例えば下枠を強く踏んだり、頻繁に踏んだりすると、下枠の下方に設けられた下地材が下枠にかかる荷重を支えきれず下方にたわんでしまうことが考えられる。その場合、それに伴い、下枠も下方にたわんでしまうことが考えられ、サッシ戸の開閉に支障が生じる等の不都合の発生が懸念される。
【０００６】
本発明は、上記事情に鑑みてなされたものであり、下枠のたわみを抑制することができるサッシ枠の取付構造を提供することを主たる目的とするものである。
【課題を解決するための手段】
【０００７】
上記課題を解決すべく、第１の発明のサッシ枠の取付構造は、屋内空間と、該屋内空間に隣接して設けられた半屋外空間とを備え、前記屋内空間と前記半屋外空間とを仕切る仕切壁部にはそれら両空間の間を行き来するための出入口が形成されており、その出入口には当該出入口を開閉するサッシ戸が設けられた建物に適用され、前記出入口の周縁部には、前記サッシ戸が取り付けられるサッシ枠が配設されており、前記サッシ枠は、前記出入口の下縁部に沿って設けられた下枠を有しており、前記下枠の下方には、当該下枠に沿って横架材が設けられており、前記横架材には、その長手方向に延びるように形成され、かつ、上方に突出する凸部が設けられており、前記下枠には、前記凸部を収容する収容凹部が設けられており、前記下枠は、前記収容凹部に前記凸部を収容した状態で前記横架材上に載置され当該横架材に取り付けられていることを特徴とする。
【０００８】
本発明によれば、屋内空間から半屋外空間へ出入りするための出入口にサッシ枠が設けられており、そのサッシ枠の下枠の下方に横架材が設けられている。横架材には上方へ突出する凸部が設けられているため、下向きの荷重に対する剛性が高められている。そして、下枠は、その収容凹部に凸部を収容した状態で横架材上に載置され当該横架材に取り付けられているため、下枠が踏まれる等して横架材に下向きの荷重が作用した場合に横架材が下方へたわむのを抑制することができる。その結果、下枠が下方へたわむのを抑制することができる。
【０００９】
なお、半屋外空間としては、バルコニー空間やベランダ空間、テラス空間等が挙げられる。
【００１０】
第２の発明のサッシ枠の取付構造は、第１の発明において、前記凸部は、前記横架材において前記仕切壁部の厚み方向における前記屋内空間側に配置されており、前記下枠は、前記横架材上において前記凸部を前記半屋外空間側及び上側のそれぞれの側から覆うようにして設けられていることを特徴とする。
【００１１】
本発明によれば、下枠が凸部を半屋外空間側から覆い隠すように設けられているため、凸部を覆い隠すにあたって別途部材を設ける必要がない。そのため、構成の簡素化を図りながら凸部の露出防止を図ることができる。
【００１２】
第３の発明のサッシ枠の取付構造は、第２の発明において、前記下枠において前記凸部に対して前記半屋外空間側に設けられた部分が当該凸部に対して当接させて配置されていることを特徴とする。
【００１３】
本発明によれば、下枠の一部が凸部に対して半屋外空間側から当接させて設けられているため、半屋外空間において吹く風によりサッシ戸が屋内空間側に押され、それに伴い下枠がサッシ戸から屋内空間側への荷重を受けたとしても、下枠が屋内空間側に位置ずれしたり変形したりするのを規制することができる。これにより、下枠の取付状態を安定したものとすることができる。
【００１４】
第４の発明のサッシ枠の取付構造は、第１乃至第３のいずれかの発明において、前記下枠は、互いに別体として形成され当該下枠の長手方向に延びる長尺状の第１下枠部及び第２下枠部を有しており、それら各下枠部が互いに結合されることにより構成されており、前記第２下枠部は、前記横架材上において前記仕切壁部の厚み方向に前記凸部と並んで設けられており、前記第１下枠部は、前記サッシ戸の開閉を案内する案内レール部を有しており、前記第２下枠部上と前記凸部上とに跨がって設けられていることを特徴とする。
【００１５】
本発明によれば、下枠が、案内レール部を有する第１下枠部と、それとは別体からなる第２下枠部とに分割されて構成されており、そのうち第２下枠部が横架材上において仕切壁部の厚み方向に凸部と並んで設けられ、その第２下枠部上と凸部上とに跨がって第１下枠部が設けられている。この場合、下枠の一部（第１下枠部）に案内レール部を有する汎用品の下枠材を用いることが可能となり、製造コストの低減等を図ることができる。
【００１６】
第５の発明のサッシ枠の取付構造は、第４の発明において、前記凸部は、前記横架材において前記仕切壁部の厚み方向における前記屋内空間側に配置されており、前記第１下枠部は、前記凸部と前記第２下枠部との間を通じて下方に延び当該凸部の前記半屋外空間側に当接する当接部を有することを特徴とする。
【００１７】
下枠が第１下枠部と第２下枠部とに分割されてなる上記第４の発明において、サッシ戸が半屋外空間にて吹く風により屋内空間側に押される場合に、そのサッシ戸から直接屋内空間側への荷重を受けることになる下枠部分は、サッシ戸を案内する案内レール部を有する第１下枠部である。そこで本発明では、この点に鑑みて、第１下枠部に、凸部と第２下枠部との間を通じて下方に延び凸部の半屋外空間側に当接する当接部を設けている。これにより、第１下枠部が屋内空間側に変位するのを規制することができるため、下枠を２つの下枠部に分割した構成にあって下枠の位置ずれや変形を好適に抑制することができる。
【００１８】
第６の発明のサッシ枠の取付構造は、第５の発明において、前記当接部は、板状をなしており、その板面を前記凸部の前記半屋外空間側の側面と対向させて配置されており、前記第２下枠部は、前記当接部と重なり合うように設けられる板状の重なり部を有しており、前記当接部と前記重なり部とは締結具による締結によって互いに結合され、その結合状態において前記凸部の前記側面側に当接していることを特徴とする。
【００１９】
本発明によれば、互いに板状をなす第１下枠部の当接部と第２下枠部の重なり部とが重なり合うように設けられているとともに、締結具による締結によって互いに結合されている。そして、結合された当接部と重なり部とが凸部の半屋外空間側の側面（側）に当接しているため、サッシ戸に風が当たって下枠がサッシ戸から屋内空間側への荷重を受けたとしても、それら当接部と重なり部との結合部分（締結部分）ががたつくのを抑制することができ、その結果締結具に緩みが発生するのを抑制することができる。これにより、第１下枠部と第２下枠部との結合状態を好適に維持することが可能となる。
【００２０】
第７の発明のサッシ枠の取付構造は、第１乃至第６のいずれかの発明において、前記凸部は、前記横架材において前記仕切壁部の厚み方向における前記屋内空間側に配置されており、前記下枠は、前記凸部上に載置された載置部を有しており、その載置部の一部が前記凸部よりも前記屋内空間側にはみ出してはみ出し部となっており、前記凸部の前記屋内空間側には、前記はみ出し部が取り付けられる下枠取付部が設けられていることを特徴とする。
【００２１】
横架材において凸部が屋内空間側に配置される構成では、その横架材上に配設される下枠が踏まれた場合に下枠が半屋外空間側に倒れ込み易い（垂れ易い）ことが考えられる。そこで本発明では、かかる構成において、下枠において凸部上に載置された載置部の一部を凸部よりも屋内空間側にはみ出させ、そのはみ出し部を凸部の屋内空間側に設けた下枠取付部に対して取り付けるようにしている。これにより、下枠を凸部よりも屋内空間側で固定することができるため、下枠が踏まれた際に下枠が半屋外空間側に倒れ込むのを抑制することができる。
【図面の簡単な説明】
【００２２】
【図１】建物の概略を示す縦断面図。
【図２】出入口の下部周辺の構成を示す縦断面図。
【図３】下端フレーム部及び下枠周辺を拡大して示す縦断面図。
【図４】下端フレーム部及び下枠を離した状態で示す縦断面図。
【図５】他の実施形態における下端フレーム部を示す横断面図。
【発明を実施するための形態】
【００２３】
以下に、本発明を具体化した一実施の形態について図面を参照しつつ説明する。なお、図１は建物の概略を示す縦断面図である。
【００２４】
図１に示すように、建物１０は、建物本体１１と、その建物本体１１の上方に形成された屋根１２とを備えている。建物本体１１は、一階部分１３と二階部分１４とを有してなる二階建て建物である。建物１０の一階部分１３には第一居室１５等が形成され、二階部分１４には第二居室１６等が形成されている。
【００２５】
建物１０の二階部分１４には、バルコニー２０が設けられている。バルコニー２０は、第二居室１６と隣接して設けられており、第二居室１６とバルコニー２０とは外壁部１７によって互いに仕切られている。外壁部１７には、第二居室１６とバルコニー２０（より詳しくは後述するバルコニー空間ＢＳ）との間を行き来するための出入口１８が形成されている。出入口１８は、いわゆる掃き出し窓となっている。
【００２６】
出入口１８には、その周縁部に沿ってサッシ枠１９が配設されている。サッシ枠１９は、上下一対の上枠２２及び下枠２３と、左右一対の縦枠２４とを備えて構成されている。上枠２２は出入口１８の上縁部に沿って配設され、下枠２３は出入口１８の下縁部に沿って配設され、縦枠２４は出入口１８の側縁部に沿って配設されている。サッシ枠１９の内側にはサッシ戸２１が設けられている。このサッシ戸２１によって出入口１８が開閉される。
【００２７】
バルコニー２０は、バルコニー床部２６と、そのバルコニー床部２６を外壁部１７とともに囲むように立設されるバルコニー腰壁部２７とを備えている。バルコニー床部２６とバルコニー腰壁部２７と外壁部１７とにより囲まれた内側空間はバルコニー空間ＢＳとなっている。このバルコニー空間ＢＳが半開放空間に相当する。
【００２８】
次に、出入口１８の下部周辺の構成について図２に基づいて説明する。図２は、出入口１８の下部周辺の構成を示す縦断面図である。
【００２９】
図２に示すように、第二居室１６の床部は、Ｈ形鋼からなる床梁３１によって下方から支持された２枚の床下地材３２，３３と、その床下地材３２，３３上に敷設され第二居室１６の床面３４ａを形成する床仕上げ材３４とを備える。下側の床下地材３２はＡＬＣ床からなり、上側の床下地材３３はパーティクルボードからなり、床仕上げ材３４はフローリングからなる。また、床仕上げ材３４上には外壁部１７側の端縁部に沿って床見切り材３５が設けられている。この床見切り材３５によって第二居室１６側への下枠２３の露出が抑制されている。
【００３０】
外壁部１７は、その骨格を形成する外壁フレーム３６を有している。外壁フレーム３６は、その下端部に下端フレーム部３７を有している。下端フレーム部３７は下枠２３の下方に配設されており、外壁部１７の幅方向に沿って延びる四角筒状をなしている。下端フレーム部３７は、少なくとも下枠２３の長手方向全域に亘って連続して設けられている。そして、この下端フレーム部３７等に対して下枠２３が取り付けられている。なお、下端フレーム部３７等に対する下枠２３の取付構成については後述する。
【００３１】
下端フレーム部３７は床梁３１にＬ字型のアングル４１を介して連結されている。アングル４１は、その一方の板部４１ａが床梁３１の上面にボルト４３及びナット４４を用いて固定され、他方の板部４１ｂが下端フレーム部３７の第二居室１６側の側面にボルト４５及びナット４６を用いて固定されている。これにより、下端フレーム部３７ひいては外壁フレーム３６が床梁３１に対して連結されている。
【００３２】
下端フレーム部３７の下面には、防水下地板４７が溶接により固定されている。防水下地板４７は、下端フレーム部３７の下面に固定された固定板部４７ａと、その固定板部４７ａのバルコニー２０（バルコニー空間ＢＳ）側の端部から下方に延びる縦板部４７ｂとを有する。縦板部４７ｂは、バルコニー床部２６の上面よりも下方へ延びており、そのバルコニー２０側の面が下端フレーム部３７のバルコニー２０側の面と面一となっている。
【００３３】
なお、図示は省略するが、外壁部１７を挟んだ両側にはそれぞれ外壁面材と内壁面材とが設けられており、外壁面材がバルコニー空間ＢＳに面して配置され、内壁面材が第二居室１６に面して配置されている。
【００３４】
バルコニー２０において、バルコニー床部２６は、図示しない床梁により下方から支持された床下地材５１と、床下地材５１上に敷設された床断熱材５２と、床断熱材５２上に敷設された防水板５３とを備える。床下地材５１はＡＬＣ床よりなり、床断熱材５２は発砲ポリスチレン樹脂よりなり、防水板５３は耐水皮膜（例えば塩化ビニル膜）が施された鋼板よりなる。
【００３５】
防水板５３は、その一部が外壁部１７側の端部において上方に立ち上げられ立ち上がり部５３ａとなっている。立ち上がり部５３ａは、防水下地板４７のバルコニー２０側の面と下端フレーム部３７のバルコニー２０側の面とにそれぞれ重ね合わせられて設けられている。立ち上がり部５３ａのバルコニー２０側の面には水切部材５４が設けられている。水切部材５４と立ち上がり部５３ａとは共通のビス５９により下端フレーム部３７に対して固定されている（図３も参照）。
【００３６】
防水板５３上には、支持脚５６により下方から支持された状態で複数の床根太５５が並べて設けられている。支持脚５６は、防水板５３上に固定された固定部から上方へ延びる脚部５６ａと、その脚部５６ａの上端部に設けられた載置部５６ｂとを有する。支持脚５６は、脚部５６ａの長さを調整する長さ調整機能を有しており、その脚長さの調整によって防水板５３からの載置部５６ｂの高さ位置を調整可能となっている。支持脚５６は、防水板５３上において複数箇所に点在させて設けられている。
【００３７】
床根太５５は、長尺状の鋼材よりなる。床根太５５は、複数の支持脚５６の載置部５６ｂ上に跨がって載置されており、その載置状態で載置部５６ｂに対しビス等で固定されている。床根太５５上には、複数の床パネル５７が並べて設けられている。床パネル５７は、木樹脂製のデッキパネルよりなる。床パネル５７は、複数の床根太５５の上面に跨がって載置され、それら各床根太５５の上面にビス５８により固定されている。
【００３８】
これら床パネル５７の上面はバルコニー空間ＢＳの床面５７ａとなっている。本実施形態では、この床面５７ａが第二居室１６の床面３４ａと同じ高さ位置に設定されている。つまり、本実施形態のバルコニー２０はいわゆるフラットバルコニーとなっており、出入口１８を通じた第二居室１６からバルコニー２０（バルコニー空間ＢＳ）への出入りが容易となっている。なお、床面５７ａの高さ位置を第二居室１６の床面３４ａの高さ位置と合わせる際には、支持脚５６の脚部５６ａ長さを調整することにより床パネル５７の高さ位置を調整することで行う。
【００３９】
次に、下端フレーム部３７に対する下枠２３の取付構成について図３及び図４に基づいて詳しく説明する。図３は、下端フレーム部３７及び下枠２３周辺を拡大して示す縦断面図である。図４は、下端フレーム部３７及び下枠２３を離した状態で示す縦断面図である。
【００４０】
図３及び図４に示すように、下端フレーム部３７は、断面コ字状の軽量鉄骨材からなる２つのフレーム材３８，３９を有している。各フレーム材３８，３９は、互いの溝部を上下に向き合わせた状態で配設されており、その配設状態で互いの第二居室１６側のフランジ部３８ａ，３９ａが一部重ね合わせられて溶接により固定されているとともに、互いのバルコニー２０側のフランジ部３８ｂ，３９ｂが一部重ね合わせられて溶接により固定されている。これにより、各フレーム材３８，３９が一体化されて四角筒状の下端フレーム部３７が形成されている。
【００４１】
下端フレーム部３７の上面には、補強フレーム材６１が固定されている。補強フレーム材６１は、断面コ字状の軽量鉄骨材からなる。補強フレーム材６１は、下端フレーム部３７の長手方向に沿って延びる長尺状をなしており、少なくとも下枠２３の長手方向全域に亘って延びている。補強フレーム材６１は、その溝部を下方に向けた状態で下端フレーム部３７の上面に配設されており、その下端部が下端フレーム部３７（フレーム材３８）の上面に溶接により固定されている。この場合、補強フレーム材６１が下端フレーム部３７から上方に突出して（角形の）「凸部」を構成しており、補強フレーム材６１と下端フレーム部３７とによって「横架材」が構成されている。
【００４２】
補強フレーム材６１は、その幅（外壁部１７の厚み方向の長さ）が下端フレーム部３７の幅よりも小さくなっており、具体的には下端フレーム部３７の幅の略半分となっている。補強フレーム材６１は、下端フレーム部３７の上面において第二居室１６寄りに配置されており、より詳しくはその第二居室１６側の側面が下端フレーム部３７（詳しくはフレーム材３８）の第二居室１６側の側面と同一平面上に位置するように配置されている。
【００４３】
なお、図３では、補強フレーム材６１において外壁部１７の厚み方向（以下、壁厚み方向ともいう）に対向する各フランジ部６１ａ，６１ｂのうち、第二居室１６側のフランジ部６１ｂにその下端部から内側（バルコニー２０側）へと延び下端フレーム部３７の上面に載置された載置板部６１ｄがさらに設けられている。但し、この載置板部６１ｄに代えて又は加えて、バルコニー２０側のフランジ部６１ａにこれと同様の載置板部を設けてもよい。また、載置板部６１ｄをいずれのフランジ部６１ａ，６１ｂにも設けないようにしてもよい。
【００４４】
補強フレーム材６１の第二居室１６側の側面には、Ｌ字状の取付金具６２が溶接により固定されている。取付金具６２は、補強フレーム材６１の長手方向に沿って所定の間隔で複数設けられている。取付金具６２は、補強フレーム材６１の第二居室１６側の側面に固定された固定板部６２ａと、その固定板部６２ａの上端部から第二居室１６側に延びる横板部６２ｂとを有している。横板部６２ｂは、その上面が補強フレーム材６１（詳しくはそのウェブ部６１ｃ）の上面と略面一とされている。なお、取付金具６２が下枠取付部に相当する。
【００４５】
取付金具６２は、製造工場において予め補強フレーム材６１に溶接固定されるものとなっている。また、補強フレーム材６１と防水下地板４２とは、同じく製造工場において予め下端フレーム部３７（さらにはフレーム材３８，３９同士も）に溶接固定されるものとなっている。これにより、施工現場での作業の簡略化が図られている。
【００４６】
続いて、下枠２３について説明する。
【００４７】
下枠２３は、互いに別体として形成された第１下枠部６４及び第２下枠部６５を有しており、これら各下枠部６４，６５が互いに結合されることにより構成されている。各下枠部６４，６５はいずれもアルミ製の押し出し成形品よりなり、同じ長さ寸法を有した長尺状に形成されている。また、各下枠部６４，６５はいずれも、その横断面形状が長手方向全域に亘って同じとなっている。なお、この場合の横断面とは、下枠部６４，６５の長手方向に対して直交する方向の断面をいう。
【００４８】
第１下枠部６４は、下端フレーム部３７上（及び補強フレーム材６１上）において当該下端フレーム部３７の幅方向全域に亘るように設けられている。第１下枠部６４は、補強フレーム材６１よりも上方で下端フレーム部３７の幅方向（詳しくは幅方向全域）に延びるベース部６６と、そのベース部６６から上方に突出する一対の案内レール部６７とを有している。これらの案内レール部６７はそれぞれサッシ戸２１下端の案内溝７６に入り込んでおり、その入り込み状態でサッシ戸２１の開閉が案内レール部６７に沿って案内されるようになっている。なお、本実施形態では、第１下枠部６４が汎用品（規格品）の枠材により構成されている。
【００４９】
第１下枠部６４は、補強フレーム材６１上（詳しくはそのウェブ部６１ｃの上面）に配設され同フレーム材６１により下方から支持された被支持部６４ａと、その被支持部６４ａから補強フレーム材６１よりもバルコニー２０側に張り出して設けられた張出部６４ｂとを有する。被支持部６４ａは、ベース部６６から下方に延びる一対の垂下板部７３を有する。それら各垂下板部７３はそれぞれ下端部に補強フレーム材６１の上面に載置された載置部６８を有している。それら各載置部６８は、補強フレーム材６１の幅方向の両端部にそれぞれ配置されている。そのうち第二居室１６側の載置部６８ａは、その一部が補強フレーム材６１よりも第二居室１６側に延出して延出部６９とされており、その延出部６９が各取付金具６２（固定板部６２ａ）の上面にそれぞれビス７１により固定されている。これにより、第１下枠部６４が取付金具６２を介して補強フレーム材６１に固定されている。
【００５０】
張出部６４ｂは、下端フレーム部３７の上面から上方に離間させて配置されている。張出部６４ｂには、被支持部６４ａとの境界部付近から下方へと延びる垂下板部７２が設けられている。垂下板部７２は、その上側部分７２ａが張出部６４ｂから第二居室１６側に向けて下方傾斜して延びており、その下側部分７２ｂが上下方向（鉛直方向）に延びて補強フレーム材６１（フランジ部６１ａ）のバルコニー２０側の側面６１ｅに当接している。なお、垂下板部７２が当接部に相当する。
【００５１】
張出部６４ｂと下端フレーム部３７の上面との間には第２下枠部６５が配設されている。第２下枠部６５は、下端フレーム部３７上に配設され同フレーム部３７により下方から支持された被支持部６５ａと、その被支持部６５ａから下端フレーム部３７よりもバルコニー２０側に張り出して設けられた張出部６５ｂとを有する。
【００５２】
被支持部６５ａは、第１下枠部６４の垂下板部７２の下側部分７２ｂに対してバルコニー２０側から重なる（対向する）ように配置された重なり板部７５を有する。重なり板部７５は、垂下板部７２の下側部分７２ｂと長手方向における複数箇所でビス７７により固定されている。これにより、第１下枠部６４と第２下枠部６５とが互いに結合されている。なお、この場合、重なり板部７５が重なり部に相当し、ビス７７が締結具に相当する。
【００５３】
ビス７７は、垂下板部７２の下側部分７２ｂから重なり板部７５へ向けてねじ込まれており、その頭部（図示略）が下側部分７２ｂと重なり板部７５との重なり部分に位置している。より詳しくは、下側部分７２ｂには、ビス７７の頭部を収容する収容部（図示略）が設けられ、その収容部にビス７７の頭部が下側部分７２ｂよりも第二居室１６側に突出しない状態で収容されている。これにより、下側部分７２ｂと重なり板部７５との結合部分にて、下側部分７２ｂが補強フレーム材６１のバルコニー２０側の側面６１ｅに当接されるようになっている。
【００５４】
なお、下側部分７２ｂに、上記の収容部を設けないでビス７７の頭部を下側部分７２ｂから第二居室１６側に突出させて配置してもよい。その場合、ビス７７の頭部を補強フレーム材６１の側面６１ｅに当接させて配置すればよい。
【００５５】
重なり板部７５は、その下端部が下端フレーム部３７の上面に載置された載置部７５ａとなっている。また、被支持部６５ａには、この載置部７５ａに加え、下端フレーム部３７の上面におけるバルコニー２０側の端部付近に載置された載置部７４が設けられている。
【００５６】
張出部６５ｂには、下端フレーム部３７（詳しくはフレーム材３８）のバルコニー２０側の側面に沿って下方に延び当該側面に取り付けられる被取付部７８が設けられている。被取付部７８は、長手方向における複数箇所においてビス７９により下端フレーム部３７に固定されている。これにより、第２下枠部６５が下端フレーム部３７に対して固定されている。
【００５７】
張出部６５ｂにおいてバルコニー２０側の端部には、水切部材８１を着脱可能に取り付けるための水切取付部８２が設けられている。この水切取付部８２に対して水切部材８１が着脱可能に取り付けられている。
【００５８】
上述のように構成された下枠２３は、全体として見ると、その第二居室１６側に、下側に開放された凹部８５（収容凹部に相当）を有している。下枠２３は、その凹部８５に補強フレーム材６１を収容した状態で下端フレーム部３７の上面と補強フレーム材６１の上面とに跨がって載置されており、その載置状態でこれら両部材３７，６１に取り付けられている。したがって、下枠２３が踏まれる等して下枠２３に下向きの荷重がかかった場合には、その荷重が下端フレーム部３７の上面と補強フレーム材６１の上面とにそれぞれ作用するようになっている。
【００５９】
以上、詳述した本実施形態の構成によれば、以下の優れた効果が得られる。
【００６０】
下端フレーム部３７の上面に上方に突出する補強フレーム材６１を設けたため、下端フレーム部３７（及び補強フレーム材６１）について下向き荷重に対する剛性を高めることができる。そして、下枠２３には補強フレーム材６１を収容する凹部８５を設け、その凹部８５に補強フレーム材６１を収容した状態で下枠２３を下端フレーム部３７の上面及び補強フレーム材６１の上面に跨がって載置し両部材３７，６１に取り付けた。これにより、バルコニー２０への出入りの際に下枠２３が踏まれる等して下端フレーム部３７（及び補強フレーム材６１）に下向きの荷重が作用した場合に下端フレーム部３７が下方へたわむのを抑制することができ、その結果下枠２３が下方へたわむのを抑制することができる。
【００６１】
補強フレーム材６１を、下端フレーム部３７上において壁厚み方向における第二居室１６側に配置し、その補強フレーム材６１をバルコニー２０側及び上側のそれぞれの側から覆うようにして下枠２３を設けた。これにより、補強フレーム材６１を覆い隠すにあたって別途部材を設ける必要がなく、構成の簡素化を図りながら補強フレーム材６１の露出防止を図ることができる。
【００６２】
下枠２３において補強フレーム材６１に対してバルコニー２０側に設けた部分を補強フレーム材６１に当接させて配置したため、バルコニー空間ＢＳにおいて吹く風によりサッシ戸２１が第二居室１６側に押され、それに伴い下枠２３がサッシ戸２１から第二居室１６側への荷重を受けたとしても、下枠２３が第二居室１６側に位置ずれしたり変形したりするのを規制することができる。これにより、下枠２３の取付状態を安定したものとすることができる。
【００６３】
下枠２３を、サッシ戸２１の開閉を案内する案内レール部６７を有する第１下枠部６４と、第１下枠部６４とは別体からなる第２下枠部６５とを互いに結合することにより構成した。そして、第２下枠部６５を、下端フレーム部３７上において補強フレーム材６１と壁厚み方向に隣接させて配設し、その第２下枠部６５上と補強フレーム材６１上とに跨がって第１下枠部６４を配設した。この場合、下枠２３の一部（第１下枠部６４）に案内レール部６７を有する汎用品の下枠材を用いることが可能となり、製造コストの低減等を図ることができる。
【００６４】
下枠２３を第１下枠部６４と第２下枠部６５とに分割した上述の構成では、サッシ戸２１がバルコニー空間ＢＳにて吹く風により第二居室１６側に押される場合に、そのサッシ戸２１から直接第二居室１６側への荷重を受けることになる下枠部分は、サッシ戸２１の案内レール部６７を有する第１下枠部６４である。この点、その第１下枠部６４に垂下板部７２を設け、その垂下板部７２を補強フレーム材６１のバルコニー２０側の側面６１ｅに当接させたため、第１下枠部６４が第二居室１６側に変位するのを規制することができる。これにより、下枠２３を２つの下枠部６４，６５に分割した構成にあって、下枠２３の位置ずれや変形を好適に抑制することができる。
【００６５】
垂下板部７２の下側部分７２ｂを補強フレーム材６１のバルコニー２０側の側面６１ｅに対向させて配置し、第２下枠部６５にはその下側部分７２ｂに対してバルコニー２０側から重なるように重なり板部７５を設けた。そして、下側部分７２ｂと重なり板部７５とをビス７７により互いに結合し、それら下側部分７２ｂと重なり板部７５との結合部分を補強フレーム材６１の側面６１ｅに当接させた。これにより、サッシ戸２１に風が当たって下枠２３がサッシ戸２１から第二居室１６側への荷重を受けたとしても、それら下側部分７２ｂと重なり板部７５との結合部分（締結部分）ががたつくのを抑制することができ、その結果ビス７７に緩みが発生するのを抑制することができる。これにより、第１下枠部６４と第２下枠部６５との結合状態を好適に維持することが可能となる。
【００６６】
下端フレーム部３７上において補強フレーム材６１を壁厚み方向における第二居室１６側に配置した上述の構成では、下端フレーム部３７上（及び補強フレーム材６１上）に配設される下枠２３が踏まれた場合に下枠２３がバルコニー２０側に倒れ込み易い（垂れ易い）ことが考えられる。この点、第１下枠部６４において補強フレーム材６１上に載置された載置部６８ａの一部を補強フレーム材６１よりも第二居室１６側に延出させ、その延出部６９を補強フレーム材６１の第二居室１６側の側面に設けた取付金具６２に固定するようにしたため、かかる構成にあっても、下枠２３が踏まれた際に下枠２３がバルコニー２０側に倒れ込むのを抑制することができる。
【００６７】
バルコニー２０が、その床面５７ａ高さが第二居室１６の床面３４ａ高さと同じとされたいわゆるフラットバルコニーである場合には、出入口１８を通じて第二居室１６からバルコニー２０へ出入りする際、下枠２３を踏み易いことが考えられる。その点、かかる構成において、上述した下枠２３の取付構造を適用したため、下枠２３のたわみを抑制する効果を大きなものとして得ることができる。
【００６８】
本発明は上記実施形態に限らず、例えば次のように実施されてもよい。
【００６９】
（１）上記実施形態では、下端フレーム部３７上において補強フレーム材６１を第二居室１６寄りに配置したが、これを変更して、補強フレーム材６１をバルコニー空間ＢＳ寄りに配置してもよい。その場合、下枠２３に、その補強フレーム材６１の位置に合わせて凹部８５を形成すればよい。
【００７０】
（２）上記実施形態では、下端フレーム部３７上に補強フレーム材６１を別途固定することにより凸部を形成したが、下端フレーム部３７に凸部を一体形成するようにしてもよい。例えば図５に示すように、下端フレーム部９１を構成する上下各フレーム材９２，９３のうち、上側のフレーム材９２を、上側に凸となる凸部９０が形成されるように折り曲げ形成することが考えられる。上側のフレーム材９２において対向する一対の対向板部９２ａ，９２ｂは、第二居室１６側の対向板部９２ｂがバルコニー２０側の対向板部９２ａよりも上方へと延びている。それら各対向板部９２ａ，９２ｂはそれぞれ下端部が下側のフレーム材９３の各フランジ部９３ａ，９３ｂに溶接固定されている。
【００７１】
上側のフレーム材９２は、さらに対向板部９２ａの上端部から第二居室１６側へ延びる横板部９２ｃと、横板部９２ｃの第二居室１６側の端部から上方へ延びる縦板部９２ｄと、縦板部９２ｄの上端部から第二居室１６側へ延びて対向板部９２ｂの上端部と繋がる横板部９２ｅとを有する。この場合、フレーム材９２において横板部９２ｃよりも高い位置にある部分が凸部９０となる。かかる構成によれば、凸部９０を形成するにあたって別途部材を設ける必要がないため、部材点数の削減を図ることができ、しかも凸部を下端フレーム部３７に溶接等で固定する作業を不要とすることができる。
【００７２】
（３）上記実施形態では、垂下板部７２と重なり板部７５との結合部分を補強フレーム材６１の側面６１ｅに当接させて配置したが、かかる結合部分を補強フレーム材６１の側面６１ｅに当接させないで配置してもよい。ただ、その場合であっても、下枠２３の取付状態を安定にする上では、下枠２３の一部に、補強フレーム材６１の側面６１ｅに当接する部分を別途設けることが望ましい。
【００７３】
（４）上記実施形態では、下枠２３を、別体からなる第１下枠部６４及び第２下枠部６５を互いに結合することにより構成したが、これを変更して、下枠２３を第１下枠部６４及び第２下枠部６５を含めて一体形成してもよい。
【００７４】
（５）上記実施形態では、第二居室１６からバルコニー空間ＢＳ（半屋外空間に相当）へ出入りするための出入口１８に本発明のサッシ枠取付構造を適用したが、ベランダ空間やテラス空間等、他の半屋外空間への出入口に対しても本発明を適用してもよい。
【符号の説明】
【００７５】
１０…建物、１６…屋内空間としての第二居室、１７…仕切壁部としての外壁部、１８…出入口、１９…サッシ枠、２０…バルコニー、２１…サッシ戸、２３…下枠、６１…凸部としての補強フレーム材、６２…下枠取付部としての取付金具、６４…第１下枠部、６５…第２下枠部、６７…案内レール部、６９…はみ出し部としての延出部、７２…当接部としての垂下板部、７５…重なり部としての重なり板部、７７…締結具としてのビス、８５…収容凹部としての凹部、ＢＳ…半屋外空間としてのバルコニー空間。
【図１】
2014196621.tif 000003
【図２】
2014196621.tif 000004
【図３】
2014196621.tif 000005
【図４】
2014196621.tif 000006
【図５】
2014196621.tif 000007